(57)【要約】【課題】手操作で注出口部の切断が行ない易くなるようにし、開封性が優れて収容物の注出し易い二つ折りできる包装体を提供する。【解決手段】二つ折りの包装容器１の折り曲がり部７の一端側に、上曲げ部２ａの端部周辺部１２と下曲げ部３ａの端部周辺部１３とで囲まれて容器側方に向けて凸となる注出口部８が設けられ、下曲げ部３ａの端部周辺部１３は、折り込み高さ方向の幅を、注出口部８の上部に形成した上曲げ部２ａの下縁から注出口部８の下部に配されたシール部の上縁までの高さの１／３となる高さ位置よりも低く、下部のシール部の上縁に近接する位置までの範囲とした。【選択図】図１
2010260603.tif 000002
【特許請求の範囲】
【請求項１】
柔軟なフィルムが重なってそれぞれの曲げ位置を上方に向けて凸として折り曲げられていて、前記折り曲げ状態で外側となっているフィルムの上曲げ部に対して、前記折り曲げ状態で内側となっているもう一方のフィルムの下曲げ部が容器下方側に離れて配置され、前記外側のフィルムと前記内側のフィルムとが相対している左右両側辺にシール部を有しているとともに、前記外側のフィルムと前記内側のフィルムとが相対している下方の辺にシール部を有し、前記下曲げ部の位置より上方で相対する外側のフィルムの側辺にシール部が形成されていて、外側のフィルムと内側のフィルムとからなる収納部が、前記上折り曲げ位置と下曲げ部とが相対している折り曲がり部で二つ折りされ、該折り曲がり部の位置で曲がりを開いて前記収納部が容器上下方向に伸展可能な二つ折りの包装容器であって、
前記折り曲がり部の一端側に、上曲げ部の端部周辺部と下曲げ部の端部周辺部とで囲まれて容器側方に向けて凸となる注出口部が設けられ、
該注出口部の縦断面周りでの下部には、注出口部突出先端側から注出口部下側に廻り込む形状としたシール部が配置されていて、
この注出口部の下部に配置されたシール部の上縁の高さ位置から下曲げ部の高さ位置までに亘る下曲げ部の端部周辺部は、折り込み高さ方向の幅が、該注出口部の上部に形成したシール部の下縁から注出口部の下部に配された前記シール部の上縁までの高さの１／３となる高さ位置よりも低く、前記下部のシール部の上縁に近接する位置までの範囲とされて、該下曲げ部の端部周辺部は下曲げ部が開く方向に展開可能とされ、
前記注出口部には、前記上曲げ部の位置から注出口部の下部に配置されたシール部の上縁の高さ位置に達する開封予定線部が設けられていて、該開封予定線部は、注出口部の上曲げ部の位置から注出口部の突出方向側に少なくとも一部が傾斜していることを特徴とする二つ折りの包装容器。
【請求項２】
上記開封予定線部は、注出口部の上曲げ部の位置から注出口部の下部に配置されたシール部の上縁の高さ位置に向かう第一線部と、前記第一線部から注出口部の突出先端側に向いて延びた第二線部とからなり、前記第一線部が、注出口部の上曲げ部の位置から注出口部の突出方向側に傾斜している請求項１に記載の二つ折りの包装容器。
【請求項３】
上記開封予定線部は、上曲げ部の端部周辺部である外側のフィルムに易開封加工を施してなるものである請求項１または２記載の二つ折りの包装容器。
【請求項４】
請求項１から３の何れか一項における二つ折りの包装容器に充填して収納部に収納されている内容物が、液体洗浄剤組成物または殺菌剤組成物であることを特徴とする二つ折りの包装体。
【発明の詳細な説明】
【技術分野】
【０００１】
本発明は、洗髪関連用品であるシャンプーやリンス、また入浴剤、さらには洗濯関連用品である洗濯柔軟剤や洗濯洗剤、そして台所用洗剤、また食用関係においてタレ、つゆ、ドレッシングソース、パスタソース、インスタントコーヒー粉、だしの素などを内容物として収容することができて、主に詰め替え用途に用いる包装容器、およびその包装容器を用いた包装体に関するものである。
【背景技術】
【０００２】
従来、環境保全や省資源を目的とし、空になったボトル容器を繰り返し使用するためにその詰め替え用の収容物が製品として流通しており、詰め替え用の収容物を収納する詰め替え用包装容器が広く使用されている。この詰め替え用途の包装容器としては、自立可能なプラスチックフィルムからなる柔軟なスタンディングパウチと称されている包装容器が一般的に広く使用されていた。そして、これらの詰め替え用スタンディングパウチタイプの包装容器には、空のボトル容器への移し替えが行ない易いように、上端片隅や上端中央部に嘴状に突出する形状とした注出口部が設けられていた。
【０００３】
上記スタンディングパウチタイプ以外でも、上面フィルムと下面フィルムと重ね合わせて周辺をシール部とした平パウチ形態の包装容器であって、必要時に容器中央で折り曲げ、その折り位置の一端側に形成されている注出口部分から収容物を注出できるようにした工夫が提案されている（特許文献１、２参照）。
【先行技術文献】
【特許文献】
【０００４】
【特許文献１】特開２００４−３２３０７７号公報
【特許文献２】実開平０５−０２９９４２号公報
【発明の概要】
【発明が解決しようとする課題】
【０００５】
上述したスタンディングパウチタイプの包装容器は、正面フィルムと背面フィルムとの相対する辺をヒートシールするとともに、容器下部側では正面フィルムと背面フィルムとの間に底面フィルムを折り入れて、この底面フィルムが相対する正面フィルムと背面フィルムとの所要箇所にヒートシールしていて、正面フィルムと背面フィルムとの下辺の間を離すようにして底部を展開させることで、座りの良い容器底部が形成され、これによって自立可能であり、店頭での展示効果は良好である。
しかしながら、まず、この容器を縦置き状態での自立させるため、そして、収容物を注出するときの容器自体の取り扱い易さを確保するために、ある程度、フィルムの腰強度が必要であり、フィルムの薄膜化には限界があり、廃棄処理量を減らす減量化には限界があった。また、注出口部の形状によっては、収納する内容物が注出し難しく、特に、注出口部の幅が狭くて長い形状の場合には、注出口部を切断してもその注出口部の正面フィルムと背面フィルムが相互に接合し合い易く、切断して得られた注出口が内容物で閉塞し易いことがあった。
【０００６】
一方、上記平パウチ形態の包装容器は、その容器自体の輸送効率が向上するとともに、フィルムの薄膜化が可能であるので、容器としての減量化が図れる可能性があると考えられる。
しかし、この平パウチの包装容器を用いて内容物を充填した包装体の形状はやはり平たい容器になることには変わりがなく、別物品の紙箱などを利用しなければ起立した状態で店舗の商品陳列棚に並べ置くことができずに平積みをしなければなない。よって、店舗陳列時の商品としてアイキャッチ効果がきわめて乏しくなるとともに、複数商品を積み重ねた場合の安定性に大きな問題が生じることになる。さらには、この種の用途に用いる包装体では開封時に手間がかからないように手操作で開封できるようにすることが求められるが、この従来の形態では、折り曲げによって注出口部でのフィルムの重なりが多くなってしまい、手で開封することが困難な場合があった。
以上の理由から、上述したスタンディングパウチタイプの包装容器に詰め替え用の内容物を充填した包装体が流通しているのが現状である。
【０００７】
本発明者は、平パウチタイプの包装容器においては、包装容器自体の輸送効率が良い点や、フィルムの薄膜化が可能でパウチの減量化が図り易く、包装体とした場合の容器の取り扱い易さの確保についてもフィルムの選択で対応が可能であり、また、二つ折りして注出口部を切断して開口された注出口を形成してしまえば、収容物の注出がスムーズに行える点に着目した。
そこで、本発明は、手操作で注出口部の切断が行ない易くなるようにすることを課題とし、開封性が優れて収容物の注出し易い二つ折りできる包装体を提供することを目的とするものである。
【課題を解決するための手段】
【０００８】
（請求項１に係る発明）
本発明は上記課題を考慮してなされたもので、柔軟なフィルムが重なってそれぞれの曲げ位置を上方に向けて凸として折り曲げられていて、前記折り曲げ状態で外側となっているフィルムの上曲げ部に対して、前記折り曲げ状態で内側となっているもう一方のフィルムの下曲げ部が容器下方側に離れて配置され、前記外側のフィルムと前記内側のフィルムとが相対している左右両側辺にシール部を有しているとともに、前記外側のフィルムと前記内側のフィルムとが相対している下方の辺にシール部を有し、前記下曲げ部の位置より上方で相対する外側のフィルムの側辺にシール部が形成されていて、外側のフィルムと内側のフィルムとからなる収納部が、前記上折り曲げ位置と下曲げ部とが相対している折り曲がり部で二つ折りされ、該折り曲がり部の位置で曲がりを開いて前記収納部が容器上下方向に伸展可能な二つ折りの包装容器であって、前記折り曲がり部の一端側に、上曲げ部の端部周辺部と下曲げ部の端部周辺部とで囲まれて容器側方に向けて凸となる注出口部が設けられ、該注出口部の縦断面周りでの下部には、注出口部突出先端側から注出口部下側に廻り込む形状としたシール部が配置されていて、この注出口部の下部に配置されたシール部の上縁の高さ位置から下曲げ部の高さ位置までに亘る下曲げ部の端部周辺部は、折り込み高さ方向の幅が、該注出口部の上部に形成したシール部の下縁から注出口部の下部に配された前記シール部の上縁までの高さの１／３となる高さ位置よりも低く、前記下部のシール部の上縁に近接する位置までの範囲とされて、該下曲げ部の端部周辺部は下曲げ部が開く方向に展開可能とされ、前記注出口部には、前記上曲げ部の位置から注出口部の下部に配置されたシール部の上縁の高さ位置に達する開封予定線部が設けられていて、該開封予定線部は、注出口部の上曲げ部の位置から注出口部の突出方向側に少なくとも一部が傾斜していることを特徴とする二つ折りの包装容器を提供して、上記課題を解消するものである。
【０００９】
（請求項２に係る発明）
また、本発明において、上記開封予定線部は、注出口部の上曲げ部の位置から注出口部の下部に配置されたシール部の上縁の高さ位置に向かう第一線部と、前記第一線部から注出口部の突出先端側に向いて延びた第二線部とからなり、前記第一線部が、注出口部の上曲げ部の位置から注出口部の突出方向側に傾斜しているものとすることが可能である。
【００１０】
（請求項３に係る発明）
また、本発明において、上記開封予定線部は、上曲げ部の端部周辺部である外側のフィルムに易開封加工を施してなるものとすることが可能である。
【００１１】
（請求項４に係る発明）
また、もう一つの発明にあっては、上記二つ折りの包装容器に充填して収納部に収納されている内容物が、液体洗浄剤組成物または殺菌剤組成物であることを特徴とする二つ折りの包装体を提供して、上記課題を解消するものである。
【発明の効果】
【００１２】
（請求項１に係る発明の効果）
本発明の二つ折りの包装容器によれば、注出口部の下部に配置されたシール部の上縁の高さ位置から下曲げ部の高さ位置までに亘る下曲げ部の端部周辺部は、下曲げ部が開く方向に展開可能とされているので、この包装容器から得られる収容物充填みの包装体において注出口部が切断され、収容物が注出する際には注出口部の下曲げ部の端部周辺部が容易に展開して注出口が大きく開くようになる。よって、本包装容器から収容物の注出がスムーズになる包装体を得ることができる。
また、注出口部での下曲げ部側の端部周辺部の折り込み高さ方向の幅が、該注出口部の上部に形成したシール部の下縁から注出口部の下部に配された前記シール部の上縁までの高さの１／３となる高さ位置よりも低く、前記下部のシール部の上縁に近接する位置までの範囲とされているので、この折り込み部自体は注出口部の内側に向けて僅かに折り込まれた状態で位置するだけとなる。すなわち、上曲げ部の端部周辺部と前記折り込み部との重なり程度が小さく、手操作で注出口部を切断する場合の良好な手切れ性を、上記注出性を損なわずに保つことができるようになるなどの優れた効果を奏する。
さらに、開封予定線部が注出口部側に向けて傾斜していることから、注出口部で上曲げ部の端部周辺部だけの重なりとなっている切断容易な部分を、その開封予定線部中に長い距離として確保でき、上曲げ部側から切り裂くときの裂け目の進み具合に勢いを付け易くなる。よって、この点からも手切れ性が頗る良好になるとともに、切断で得られる注出口の口径も大きなものとなる。
そして、本発明の二つ折りの包装容器は形態がコンパクトであり、構成するフィルムの軽量化が可能であるため、流通過程における輸送効率が良好となる。
また、本発明の二つ折りの包装容器から得られる二つ折りの包装体では、注出口部を切断して収納物を注出するときに、開封されている注出口部に、二つ折りにより二つに分けられている収納部から内容物が流入するため、注出口部からの注出流量が多く、内容物の注出状態が良好である。さらにフィルムを薄膜化しても二つ折りの包装体としたときの全体形状が崩れ難くなっており、注出に際して手持ちしても型崩れのなく、注出の際のハンドリング性（取り扱い易さ）が頗る向上する。
【００１３】
また、本発明の二つ折りの包装容器では、形態が前述した従来のスタンディングパウチのものとは異なり、構成する折り曲げ位置を上端にして、二つの収納部が三角形状に下方開きで接続されている容器であり、自ずと自立性が良好となり、パウチを構成するフィルムの薄膜化が可能となるため、パウチの減量化が図れる。
【００１４】
（請求項２に係る発明の効果）
請求項２の発明によれば、開封予定線部は、注出口部の上曲げ部の位置から注出口部の下部に配置されたシール部の上縁の高さ位置に向かう第一線部と、前記第一線部から注出口部の突出先端側に向いて延びた第二線部とからなり、前記第一線部が、注出口部の上曲げ部の位置から注出口部の突出方向側に傾斜しているので、上述したように注出口部の上曲げ部側からの切れの始端から延びる裂け目を勢いを持って進め易く、そして、注出口部の下部にあるシール部にて切断困難になっている部分についてはこのシール部を避けて裂け目の進みが注出口部先端側に案内されるようになる。よって、注出口部の手切れ性がより一層良好になる。
【００１５】
（請求項３の発明の効果）
請求項３の発明によれば、上記開封予定線部は、上曲げ部の端部周辺部である外側のフィルムに易開封加工を施してなるものであることから、注出口部の手切れ性がさらに良好なものとなるという効果を奏する。
【００１６】
（請求項４に係る発明の効果）
請求項４の発明によれば、二つ折りの包装体に収納されている内容物が、液体洗浄剤組成物または殺菌剤組成物であるので、液体洗浄剤組成物や殺菌剤組成物の移し替えが容易に行える包装体が得られる。
【図面の簡単な説明】
【００１７】
【図１】本発明に係る二つ折りの包装容器の一例をフィルム面側から見た状態で示す説明図である。
【図２】同じく二つ折りの包装容器の一例を縦断面で示す説明図である。
【図３】一例を縦に開いた形態を示す説明図である。
【図４】同じく一例を縦に開いた状態を縦断面で示す説明図である。
【図５】開いた注出口部を縦断面で示す説明図である。
【発明を実施するための形態】
【００１８】
つぎに本発明を図１から図５に示す実施の形態に基づいて詳細に説明する。
図中１は二つ折りの包装容器で、該包装容器１は、共に同一の単層構成または同一の積層構成とされた柔軟な合成樹脂製の包装材料からなるフィルム２とフィルム３とを重ね合わせ、それぞれの折り曲げ位置を上方に向けて凸となるようにして折り曲げられた状態とされていて、図示のように下開きの略三角形状（略Λ字形状）とした折り曲げで外側となるフィルム２と内側となるフィルム３との相対する辺においてヒートシール手法を用いてシール部４が形成されている。そして、この折り曲げられた形態で容器下部となっている対のシール部４の内、一方のシール部４にあっては、フィルム２とフィルム３との間に、フィルム２、３と同一の単層構成もしくは異なる単層構成、または同一もしくは異なる積層構成のフィルム５を折り入れて、前記フィルム２とこのフィルム５との相対する辺部、および前記フィルム３とこのフィルム５との相対する辺部とをヒートシールし、フィルム２，３の間を開くことで展開できるように設けられている。
【００１９】
また、この包装容器１では、図示されているように、外側のフィルム２の上曲げ部２ａと内側のフィルム３の下曲げ部３ａとは接触した状態で重なってはおらず、前記上曲げ部２ａに対して前記下曲げ部３ａが容器下方側に離れて配置されている。そして、上曲げ部２ａと下曲げ部３ａとが上下に離れているため、下曲げ部３ａの位置から上方では外側のフィルム２同士が相対した状態となっており、この相対した外側のフィルム２の両側方の側辺それぞれにおいては、そのフィルム２を相互にヒートシールすることでシール部４が形成され、フィルム２とフィルム３との容器側方の辺でのシール部４と、この下曲げ部３ａから上方の前記シール部４（フィルム２の側辺相互のシール部分）とは連続しているとともに、外側のフィルム２の曲がり部分に沿ってもこのフィルム２同士をヒートシールしてなるシール部４が容器幅方向に亘って設けられており、この容器幅方向に亘るシール部４が前記側辺のシール部４と連続している。このように、二つ折りの包装容器１における容器上部で、外側のフィルム２同士を折り合わせるための上曲げ部２ａの部分は、ヒートシールよりなるシール部４として構成されている。
【００２０】
二つのフィルム２、３を重ね合わせて相対させて一方の容器下部にフィルム５を配してなる収納部６は、上曲げ部２ａと下折り曲げ位置３ａとが相対している折り曲がり部７を介して二つに分かれているが、この折り曲がり部７を間にして互いに連通し合っている。
【００２１】
図示のように容器上部側となる上記折り曲がり部７の長手方向の一方、即ち、容器幅方向での一方には、折り曲がり部７の部分と連続するようにして容器側方に向けて凸となる注出口部８が位置している。この注出口部８の容器側方に向けての凸となる形状は、二つに分けられた上記収納部６それぞれの前記注出口部７側の側辺におけるシール部４が収納部６の中心側に入り込むようにすることによって形成されているものであって、図示のように、収納部６それぞれでの同一側辺のシール部４は、下曲げ部３ａより下位の高さ位置から収納部６の中心側に凸となるように湾曲した形状の曲シール部９を備えている。このように曲シール部９が注出口部８の下方であって下曲げ部３ａの下位の位置から収納部６の内方に向けて凸として入り込む形状となっているため、注出口部８の下位に位置するシール部４は前記曲シール部９の上部側のシール部によって形成されている。
【００２２】
本実施の形態では、注出口部８の下部において、曲シール部９を収納部６の中心側に凸となるようにした形状にし、その曲シール部９それぞれの上部側のシール部４を注出口部８の下位に位置させるようにしている。すなわち、注出口部８の縦端面周り（折り曲がり部７の長手方向に直交する方向での断面周り）での下位位置には、曲シール部９からなるシール部４が配置されている。また、注出口部８の突出端側には外側のフィルム２の側辺同士のヒートシールからなるシール部４が配置されて、このシール部４に前記曲シール部９からなる二つのシール部４が連続している。さらに、注出口部８の上部においては上曲げ部２ａであるシール部４が配置されていて、この注出口部上部のシール部４が前記注出口部先端側のシール部４に連続している。
【００２３】
本二つ折りの包装容器１は上述したように下開きの略三角形状に二つ折りされているものであるが、容器下部における底面のフィルムを折り入れていないシール部４が上となるように折り曲がり部の位置で曲がりを開くことで、前記収納部が容器上下方向に伸展して縦長の容器形状にすることができるものである。図示されているように縦長に伸ばして、折り曲がり部7を介して二つに分けられていた収納部６が一つのまとまった収納空間を形成するように容器上下方向に伸展された包装容器１では、下曲げ部３ａを開いた内側のフィルム３と、下曲げ部３ａに対応する高さ位置にある折り罫１０から折り曲げによって開いた外側のフィルム２とが相対し、底面のフィルム５が展開されて座りの良い容器底部を形成しているスタンディングパウチタイプの形状となる。
本実施の形態の外側のフィルム２の開きはつぎのようにして開く。すなわち、二つ折りの形態での外側のフィルム２中、前記上曲げ部２ａから容器下部のシール部４までの領域において、下曲げ部３ａに対応した位置で前記折り罫１０が予め入れられていて、上記折り曲がり部7に対応していた部分と上曲げ部２ａの部分とが倒れるように容器下方に回転するとともに、上曲げ部２ａから底面フィルムを介在させていないシール部４までの領域が起きることで、外側のフィルム２が開くようにしている。この外側のフィルム２での折り曲がり部7に対応した部分と上曲げ部２ａの部分とは、容器底部側に向けて回転してその容器底部に亘る領域に重なるように設けられており、スタンディングパウチでの形態が損なわれないようにしている。
【００２４】
上述のように二つ折りの包装容器１ではスタンディングパウチの形態とすることができるため、例えば、折り曲がり部７の位置で開らかれているスタンディングパウチの形態時に、容器底部とは反対側に位置することになる容器上部での外側のフィルム２と内側のフィルム３との相対する辺の間を開いて未シールの充填口とし、この充填口から収容物を充填した後に外側のフィルム２と内側のフィルム３との相対する容器上部の前記辺相互をヒートシールすることで、スタンディングパウチタイプの包装体１１が得られ、これを内側のフィルム３における下曲げ部３ａの位置で全体を曲げることで、二つ折りの包装体となり、折り曲がり部７が容器上部側として起き上がり、上記注出口部８は二つ折りの包装体での容器上部に、一方の側方に向けて凸となった状態で位置することになる。この二つ折りの包装体では下開きした略三角形状となって座りが頗る良好となり、小売店舗などの陳列棚に縦置きしても安定した置き状態の商品として陳列できる。
【００２５】
注出口部８は上述したように折り曲がり部７に連続する状態にしてその一端側にあり、外側のフィルム２における上曲げ部２ａの端部周辺部１２と内側のフィルム３における下曲げ部３ａの端部周辺部１３とで囲んで形成されている。そして、前記端部周辺部１３においては、注出口部８の下部のシール部４の上縁の高さ位置から下曲げ部２ａの高さ位置までに亘る折り込み高さ方向の幅１４が、該注出口部８の上部に形成したシール部４（上曲げ部２ａ）の下縁から前記下部のシール部４の上縁までの高さの１／３となる高さ位置よりも低く、前記下部のシール部４の上縁に近接する位置までの範囲としている。このように折り込み部１５（折られている端部周辺部１３）の幅１４を前述の範囲とすることで、注出口部８中でこの折り込み部１５と上曲げ部２ａの端部周辺部１２との重なり領域が小さくなり、後述する注出口部を切断する際、手で上曲げ部２ａの端部周辺部１２を切り裂く操作で抵抗を受け難くなり、簡単に手作業で上曲げ部２ａ側から注出口部を切断することができる。さらに注出口部８がその注出口部の上下幅方向で上曲げ部２ａから２／３以上の幅で切断されて開口されれば、注出性には問題はなく、手切れ性にも問題は生じないものである。
また、上記折り込み部１５である下曲げ部３ａの端部周辺部１３の折り込み高さ方向の幅１４が注出口部８の上曲げ部２ａの下縁から前記下部のシール部４の上縁までの高さの１／３となる高さ位置よりも低く、前記下部のシール部４の上縁に近接する位置までの範囲としているため、その下曲げ部３ａが開く方向に展開可能とされている。図５は、切断された注出口部８を収容物が通るときの縦断面方向での形状を略図的に示していて、折り込まれていた下曲げ部３ａが展開可能であることから、注出口部８を収容物が通るときに上曲げ部２ａの曲げ形状となっている端部周辺部１２を押し開こうとするが、下の下曲げ部３ａの端部周辺部１３が開くため、前記上曲げ部２ａの端部周辺部１２が簡単に開くようになり、よって注出口部を切断した得られた注出口はその縦断面方向での広がりが広いものとなり、収容物の注出がスムーズになる。勿論、下曲げ部３ａの端部周辺部１３が展開可能であることから、二つ折りの包装容器１、また収容物を充填した二つ折りの包装体１１を縦に開いてスタンディングパウチの形態とする場合でも、注出口部下の対のシール部４およびこの対のシール部４が会合する注出口部先端側のシール部４の下端位置までの範囲が抵抗なく開くことになり、注出口部８が適正に倒れ込んで容器の外観を損なわないようになる。
なお、上記実施の例において包装容器を、底面のフィルムを有してスタンディングパウチの形態することのできるものとして説明したが、本発明はこの例に限定されるものではなく、例えばその一例として、外側のフィルムと内側のフィルムとの重ね合わせによりなる収納部６を備える平パウチの形態であってもよい。
【００２６】
注出口部８を切断する際の手切れ性を良好なものとするために、上曲げ部２ａでのシール部４において、注出口部８側のシール部高さ方向の幅を大きくして注出口部８の先端側をつまみ持つ面積を広くするためのつまみ補助部１６が形成されているとともに、上曲げ部２ａでの前記つまみ補助部１６以外のシール部高さ方向の幅を小さくして、つまみ補助部１６の注出口部の先端側とは反対側の端部に鋭角な切り欠き部１７を設けて、切り裂きの始端を形成し易いノッチ形状としている。
【００２７】
さらに、前記切り欠き部１７を上端として注出口部８の上曲がり部２ａの端部周辺部１２には、レーザ照射、ハーフカットなどの易開封加工を施してなる開封予定線部１８が、端部周辺部１２の折られた二両面に重なる位置にして設けられている。
そして、開封予定線部１８は、切り欠き部１７から注出口部８の下部のシール部４の上縁の高さ位置に達する第一線部１８ａと、第一線部１８ａから注出口部８の突出先端側に向いて前記シール部４の上縁に沿いながら注出口部突出端縁までに亘る第二線部１８ｂとからなり、前記第一線部１８ａが、切り欠き部１７の位置から注出口部８の突出方向側に傾斜している。このように開封予定線部１８がり欠き部１７の位置から注出口部８の突出方向側に傾斜しているので、切り欠き部１７から生じる裂け目は、フィルム２が二重に重なっている上曲げ部２ａの端部周辺部１２を進む距離が長くなってその裂け目の進む勢いがついて折り込み部１５が位置してフィルムの四枚重ねとなっている個所でも抵抗なく前記上曲げ部２ａの端部周辺部１２を裂いて進み、シール部４に達しても勢いをもってシール部４に沿って裂けが進む。よって、手切れ性が頗る良好なものとなっている。以上のように開封予定線部１８が斜めのものとされていることから、注出口部を真っ直ぐ縦に切るよりも注出口が大きくなり、収容物を注出するために必要な十分な口径を確保することができる。
なお、この開封予定線部１８は傾斜した状態のまま（第一線部が延長された状態のまま）シール部４を斜め横断するように形成してもよい。
【００２８】
本実施形態の二つ折りの包装容器に使用されるフィルムは、例えば、（外層側）基材層／接着剤層／シーラント層（内層側）の積層構成、（外層側）基材層／接着剤層／中間層／接着剤層／シーラント層／（内層側）の積層構成などである。
基材層には、一般的に使用される二軸延伸ポリプロピレンフィルム、二軸延伸ポリエステルフィルム、二軸延伸ナイロンフィルム、防湿性セロファンなどを使用することができる。
【００２９】
また、接着剤層には、一般的にポリウレタン系接着剤が使用される。通常では、水酸基を持った主剤とイソシアネート基を持った硬化剤とを二液混合して使用する二液型が使用される。その積層方法は公知のグラビアコート方式で積層する。
【００３０】
また、中間層は、主にガスバリア性を付与したり、各種機械的強度を向上させるために設けるものであり、単層又は、多層フィルムからなっている。単層フィルムとしては、無延伸ナイロンフィルム、アルミニウム箔、エチレン・ビニルアルコール共重合体フィルム、塩化ビニリデンフィルム、ビニルアルコールフィルム、アクリルフィルム、塩化ビニリデン樹脂コートセロファンなどが使用され、多層フィルムとしては、上述した単層フィルムを積層した多層フィルム、無機酸化物蒸着ポリエステルフィルム、アルミニウム蒸着ポリプレンフィルム、アルミニウム蒸着ポリプロピレンフィルムなどが使用される。積層方法は公知のドライラミネーション法等で積層する。
【００３１】
そして、シーラント層は、ポリオレフィン系樹脂又はポリオレフィン系樹脂フィルムからなっており、樹脂としては、例えば、低密度ポリエチレン、中密度ポリエチレン、直鎖状低密度ポリエチレン、エチレン・酢酸ビニル共重合体などのエチレン系樹脂や、ホモポリプロピレン、プロピレン・エチレンランダム共重合体、プロピレン・エチレンブロック共重合体、ポリプロピレン−α−オレフィン共重合体などのポリプロピレン系樹脂などが使用できる。積層方法は公知の溶融押出法あるいはドライラミネーション法で積層する。これらのフィルム（または樹脂）をドライラミネートにより貼り合わせし、原紙を作成後、製袋機にて、充填口を有した形態の二つ折りの包装容器を作成すればよい。
【００３２】
さらに二つ折りの包装容器に充填機にセットしてスタンディングパウチ形態または平パウチ形態を呈した状態で収容物を充填し、未シールとなっている充填口の部分をヒートシールすることで、スタンディングパウチ形態または平パウチ形態の包装体が得られ、これを上述のように内側のフィルムの下曲げ部位置から二つ折りすることで、二つ折りの包装体が得られる。
【００３３】
手切れ性と注ぎ性の関係を、上記折り込み部の幅（１４）を変えて二つ折りの包装体を作製して確認した。パウチ寸法は幅１３０ｍｍ、二つ折り状態での高さ１１０ｍｍとし、注出口部での上曲げ部の下縁から下部のシール部の上縁までの高さを１５ｍｍとした。
開封に際しては包装容器を二つ折りし、突状となった注出口部の上曲げ部側のつまみ補助部を一方の手の指で挟み持ち、他方の手で注出口部の近傍部を挟み持ち、注出口部をもぎるように手でカットし、注ぎ性をみた。その結果を表１に示した。この表１に示されているように、折り込み部の幅を０．５〜５ｍｍ、特に０．５〜３ｍｍとした時、手切れ性、注ぎ性ともに良好となることが確認できた。
【００３４】
【表１】
2010260603.tif 000003
【００３５】
二つ折りの包装体に収納される液体は、従来から存在するプラスチックフィルムからなるパウチを利用することが可能な組成であれば、特に限定されるものではなく、例えば、従来公知の液体洗浄剤組成物または殺菌剤組成物などが挙げられる。
【００３６】
上記液体洗浄剤組成物としては、例えばシャンプー、リンス、ボディソープ、ハンドソープ等の身体洗浄剤組成物、或いは例えば浴室洗浄剤、トイレ洗浄剤、食器野菜洗浄剤等の硬表面用液体洗浄剤組成物、さらに例えば衣類の洗剤、柔軟剤若しくは仕上げ剤等の衣類用液体洗浄剤組成物が挙げられる。また、上記殺菌剤組成物としては、例えば手指や皮膚等を殺菌する身体用殺菌組成物、或いは例えば食器や衣料などを殺菌する日用品用殺菌組成物が挙げられる。
【００３７】
液体洗浄剤組成物に使用される水性媒体としては、水、並びに炭素数１〜３の低級アルコール、炭素数２又は３のアルキレングリコールおよびグリセリン等のアルコール類が好ましく、特に液体洗浄剤の貯蔵安定性の点から水、エタノール、プロパノール、エチレングリコール、プロピレングリコール又はグリセリンの一種以上を２０〜９９重量％、特に３０〜９５重量％配合するのが好ましい。
【００３８】
液体洗浄剤組成物にはラウリン酸カリウム、ミリスチン酸カリウム等の脂肪酸塩、ＰＯＥ（２）ラウリル硫酸ナトリウム等のアニオン界面活性剤の一種以上を１〜３０重量％、特に５〜２０重量％配合するのが好ましい。また、ラウリルジメチルアミノ酢酸ベタイン等の両性界面活性剤、ＰＯＥ（１１）ステアリルエーテル等の非イオン界面活性剤の一種以上を配合することができ、０．０５〜１０重量％、特に０．１〜５重量％配合するのが好ましい。
【００３９】
この他、通常使用される添加剤を配合することができ、例えばイソプロピルメチルフェノール、トリクロサン、塩化ベンザルコニウム等の殺菌剤、ソルビトール等の保湿剤、安息香酸、イソチアゾロン等の防腐剤、スチレン重合体等の乳濁剤、シリコーン、カチオン界面活性剤、カチオン性高分子、高級アルコール等の感触改善剤、水酸化ナトリウム等の中和剤、エデト酸等の金属封鎖剤、色素、香料、酸化防止剤等を必要に応じて配合することができる。
【００４０】
殺菌剤組成物に使用される水性媒体としては、水、並びに炭素数１〜３の低級アルコール等のアルコール類が好ましく、特に殺菌効果および使用感の点から水又はエタノールが好ましく、特にエタノールは１０〜９０重量％、特に２０〜８０重量％配合するのが好ましい。
【００４１】
この他、通常使用される添加剤を配合することができ、例えば塩化ベンザルコニウム、イソプロピルメチルフェノール、トリクロサン等の殺菌剤、ＰＯＥ（４０）硬化ヒマシ油、ＰＯＥ（６０）硬化ヒマシ油等の非イオン界面活性剤、クエン酸、クエン酸ナトリウム、コハク酸、コハク酸ナトリウム等のｐＨ調整剤、グリセリン、エチレングリコール、プロピレングリコール等の多価アルコール等の保湿剤、色素、香料、酸化防止剤等を必要に応じて配合することができる。
【００４２】
従来から存在するプラスチックフィルムのパウチを利用することが可能な組成物の例を示すべく、殺菌剤組成物の一例を表２で示し、泡状洗浄剤組成物の一例を表３、及び液体洗浄剤組成物の一例を表４に示した。
【００４３】
【表２】
2010260603.tif 000004
【００４４】
【表３】
2010260603.tif 000005
【００４５】
【表４】
2010260603.tif 000006
【符号の説明】
【００４６】
1…二つ折りの包装容器
２…フィルム（外側）
２ａ…上曲げ部
３…フィルム（内側）
３ａ…下曲げ部
４…シール部
５…フィルム（底面）
６…収納部
７…折り曲がり部
８…注出口部
１１…二つ折りの包装体
１２…上曲げ部２ａの端部周辺部
１３…下曲げ部３ａの端部周縁部
１４…折り込み高さ方向の幅
１５…折り込み部
１７…切り欠き部
１８…開封予定線部
１８ａ…第一線部
１８ｂ…第二線部
【図１】
2010260603.tif 000007
【図２】
2010260603.tif 000008
【図３】
2010260603.tif 000009
【図４】
2010260603.tif 000010
【図５】
2010260603.tif 000011